(57)【特許請求の範囲】
【請求項１】
直列接続された第1のスイッチ手段と第２のスイッチ手段とを有する直列回路と、パルス信号を発生するパルス信号発生手段とを備え、前記直列回路に直流電圧を印加した状態で前記パルス信号に基づいて前記第１のスイッチ手段及び前記第２のスイッチ手段を交互にオンオフ駆動することにより、負荷に対して交流電圧を供給するインバータ装置であって、
前記パルス信号の線路上に設けられ、電流の流れる方向に応じてそれぞれ異なる抵抗値を有する第１の素子群、前記第１の素子群と電気的に並列に配された、電流の流れる方向にかかわらず略同一の抵抗値を有する第２の素子群、および、前記第１の素子群と前記第1のスイッチ手段との間に一端が接続された容量要素を有し、前記パルス信号に基づいて、前記パルス信号の前記第１のスイッチ手段をオンさせる方向の立ち上がり時には第１の速度で立ち上げ、前記パルス信号の前記第１のスイッチ手段をオフさせる方向の立ち下がり時には前記第１の速度より高速の第２の速度で立ち下げた第１の駆動信号を生成し、前記第１の駆動信号に基づいて前記第１のスイッチ手段を駆動する第１の駆動制御手段と、
前記パルス信号の線路上に設けられ、電流の流れる方向にかかわらず略同一の抵抗値を有する第３の素子群、および、前記第２の駆動制御手段の前記第３の素子群と前記第２のスイッチ手段との間に一端が接続された容量要素を有し、前記パルス信号に基づいて、前記パルス信号の前記第１のスイッチ手段をオンさせる方向の立ち上がり時には前記第１の速度と前記第２の速度の間の第３の速度で立ち下げ、前記パルス信号の前記第１のスイッチ手段をオフさせる方向の立ち下がり時には前記第３の速度と略同一の第４の速度で立ち上げた第２の駆動信号を生成し、前記第２の駆動信号に基づいて前記第２のスイッチ手段を駆動する第２の駆動制御手段と
を備えるインバータ装置。
【請求項２】
前記負荷は、前記第１のスイッチ手段及び第２のスイッチ手段の間に一端が接続され、基準電位に他端が接続されることを特徴とする請求項１に記載のインバータ装置。
【請求項３】
前記第1のスイッチ手段をオンさせる方向からみた電流に対する前記第１の駆動制御手段の前記第１の素子群および前記第２の素子群の等価抵抗値と前記容量要素の容量との第1の積が、前記第２のスイッチ手段をオフさせる方向からみた電流に対する前記第２の駆動制御手段の前記第３の素子群の等価抵抗値と前記容量要素の容量との第２の積よりも大きく、
前記第1のスイッチ手段をオフさせる方向からみた電流に対する前記第１の制御駆動手段の前記第１の素子群および前記第２の素子群の等価抵抗値と前記容量要素の容量との第３の積が、前記第２のスイッチ手段をオンさせる方向からみた電流に対する前記第２の駆動制御手段の前記第３の素子群の等価抵抗値と前記容量要素の容量との第４の積よりも小さく、
前記第２の積と前記第４の積とが略同じ大きさであることを特徴とする請求項１または２に記載のインバータ装置。
【請求項４】
前記第１のスイッチ手段に接続された容量要素の容量と前記第２のスイッチ手段に接続された容量要素の容量とが略同一であり、
前記第１の駆動制御手段の前記第１の素子群及び前記第２の素子群の前記第1のスイッチ手段をオンさせる方向からみた電流に対する前記等価抵抗値が、前記第２の駆動制御手段の前記第３の素子群の前記等価抵抗値よりも大きく、
前記第１の駆動制御手段の前記第１の素子群及び前記第２の素子群の、前記第1のスイッチ手段をオフさせる方向からみた電流に対する前記等価抵抗値が、前記第２の駆動制御手段の前記第３の素子群の前記等価抵抗値よりも小さいことを特徴とする請求項３に記載のインバータ装置。
【請求項５】
前記第１のスイッチ手段は、第１のメインスイッチと、前記第１の制御信号に基づいて前記第１のメインスイッチを駆動する第１のスイッチ駆動手段とを有し、
前記第２のスイッチ手段は、第２のメインスイッチと、前記第２の制御信号に基づいて前記第２のメインスイッチを駆動する第２のスイッチ駆動手段とを有する
ことを特徴とする請求項１から４のいずれかに記載のインバータ装置。
【請求項６】
前記第１の直列回路と並列に配され、第３のスイッチ手段と第４のスイッチ手段とを有する第２の直列回路と、
前記パルス信号の線路上に設けられ、電流の流れる方向にかかわらず略同一の抵抗値を有する第４の素子群、および、前記第３の駆動制御手段の前記第４の素子群と前記第３のスイッチ手段との間に一端が接続された容量要素を有し、前記パルス信号に基づいて、前記パルス信号の前記第１のスイッチ手段をオンさせる方向の立ち上がり時には前記第３の速度で立ち下げ、前記パルス信号の前記第１のスイッチ手段をオフさせる方向の立ち下がり時には前記第４の速度で立ち上げた第３の駆動信号を生成し、前記第２の駆動信号に基づいて前記第３のスイッチ手段を駆動する第３の駆動制御手段と、
前記パルス信号の線路上に設けられ、電流の流れる方向に応じてそれぞれ異なる抵抗値を有する第５の素子群、前記第５の素子群と電気的に並列に配された、電流の流れる方向にかかわらず略同一の抵抗値を有する第６の素子群、および、前記第５の素子群と前記第４のスイッチ手段との間に一端が接続された容量要素を有し、前記パルス信号に基づいて、前記パルス信号の前記第１のスイッチ手段をオンさせる方向の立ち上がり時には前記第１の速度で立ち上げ、前記パルス信号の前記第１のスイッチ手段をオフさせる方向の立ち下がり時には前記第２の速度で立ち下げた第４の駆動信号を生成し、前記第１の駆動信号に基づいて前記第４のスイッチ手段を駆動する第４の駆動制御手段とをさらに備え、
前記負荷は、前記第１のスイッチ手段及び前記第２のスイッチ手段の間に一端が接続され、前記第３のスイッチ手段及び前記第４のスイッチ手段の間に他端が接続され、
前記第１乃至第４の駆動制御信号に基づいて、前記第１のスイッチ手段及び前記第４のスイッチ手段の組と前記第２のスイッチ手段及び前記第３のスイッチ手段の組とが交互にオンオフ駆動される
ことを特徴とする請求項１に記載のインバータ装置。
【請求項７】
前記第1のスイッチ手段をオンさせる方向からみた電流に対する前記第１の駆動制御手段の前記第１の素子群および前記第２の素子群の等価抵抗値と前記容量要素の容量との第1の積が、前記第２のスイッチ手段をオフさせる方向からみた電流に対する前記第２の駆動制御手段の前記前記第３の素子群の等価抵抗値と前記容量要素の容量との第２の積よりも大きく、
前記第４のスイッチ手段をオンさせる方向からみた電流に対する前記第４の駆動制御手段の前記第５の素子群および第６の素子群の等価抵抗値と前記容量要素の容量との第３の積が、前記第３のスイッチ手段をオフさせる方向からみた電流に対する前記第３の駆動制御手段の前記第４の素子群の等価抵抗値と前記容量要素の容量との第４の積よりも大きく、
前記第1のスイッチ手段をオフさせる方向からみた電流に対する前記第１の制御駆動手段の前記等価抵抗値と前記容量要素の容量との第５の積が、前記第２のスイッチ手段をオンさせる方向からみた電流に対する前記第２の駆動制御手段の前記等価抵抗値と前記容量要素の容量との第６の積よりも小さく、
前記第４のスイッチ手段をオフさせる方向からみた電流に対する前記第４の駆動制御手段の前記等価抵抗値と前記容量要素の容量との第７の積が、前記第３のスイッチ手段をオンさせる方向からみた電流に対する前記第３の制御駆動手段の前記等価抵抗値と前記容量要素の容量との第８の積よりも小さく、
前記第２の積と前記第６の積とが略同じ大きさであり、前記第４の積と前記第８の積とが略同じ大きさである
ことを特徴とする請求項６に記載のインバータ装置。
【請求項８】
前記第１のスイッチ手段に接続された容量要素の容量、前記第２のスイッチ手段に接続された容量要素の容量、前記第３のスイッチ手段に接続された容量要素の容量、および、前記第４のスイッチ手段に接続された容量要素の容量が略同一であり、
前記第１の駆動制御手段の前記第１の素子群及び前記第２の素子群の前記第1のスイッチ手段をオンさせる方向からみた電流に対する前記等価抵抗値が、前記第２の駆動制御手段の前記第３の素子群の前記等価抵抗値よりも大きく、
前記第１の駆動制御手段の前記第１の素子群及び前記第２の素子群の、前記第1のスイッチ手段をオフさせる方向からみた電流に対する等価抵抗値が、前記第２の駆動制御手段の前記第３の素子群の前記等価抵抗値よりも小さく、
前記第４の駆動制御手段の前記第５の素子群及び前記第６の素子群の前記第４のスイッチ手段をオンさせる方向からみた電流に対する前記等価抵抗値が、前記第３の駆動制御手段の前記第４の素子群の前記等価抵抗値よりも大きく、
前記第４の駆動制御手段の前記第５の素子群及び前記第６の素子群の、前記第４のスイッチ手段をオフさせる方向からみた電流に対する前記等価抵抗値が、前記第３の駆動制御手段の前記第４の素子群の前記等価抵抗値よりも小さいことを特徴とする請求項７に記載のインバータ装置。
【請求項９】
前記第１のスイッチ手段は、第１のメインスイッチと、前記第１の制御信号に基づいて前記第１のメインスイッチを駆動する第１のスイッチ駆動手段とを有し、
前記第２のスイッチ手段は、第２のメインスイッチと、前記第２の制御信号に基づいて前記第２のメインスイッチを駆動する第２のスイッチ駆動手段とを有し、
前記第３のスイッチ手段は、第３のメインスイッチと、前記第３の制御信号に基づいて前記第３のメインスイッチを駆動する第３のスイッチ駆動手段とを有し、
前記第４のスイッチ手段は、第４のメインスイッチと、前記第４の制御信号に基づいて前記第４のメインスイッチを駆動する第４のスイッチ駆動手段とを有する
ことを特徴とする請求項６から８のいずれかに記載のインバータ装置。
【発明の詳細な説明】
【０００１】
【発明の属する技術分野】
本発明は、インバータ装置に関する。特に本発明は、２つのスイッチ素子が直列接続され、この２つのスイッチ素子の接続点に発生する交流電力を負荷に供給するインバータ装置に関する。
【０００２】
【従来の技術】
インバータ装置は、電源の直流電圧を交流電圧に変換して、この交流電圧を負荷に供給する。インバータ装置が使用される一例は、メタルハライドランプなどの放電灯を光源として用いる灯具である。
【０００３】
インバータ装置として、複数のスイッチ素子をハーフブリッジ構成とするもの、及びフルブリッジ構成とするものが知られている。これらのブリッジ構成には、全てのスイッチ素子が同時にオンとなるいわゆる同時オンが発生することがある。同時オンは、各スイッチ素子がオンからオフへまたはオフからオンへ切り替わる時に発生しやすい。この同時オンは、電気効率の悪化や異常発熱等を発生させる。
【０００４】
例えば実開平６−９０９７は、同時オンを避けるために、パルス信号を発生するパルス信号発生手段内にデッドタイムを発生させる構成を記載している。
【０００５】
【発明が解決しようとする課題】
しかしながら、パルス信号発生手段内にデッドタイムを設ける構成は複雑であり、その部品点数も多い。
【０００６】
そこで本発明は、上記の課題を解決することのできるインバータ装置を提供することを目的とする。この目的は特許請求の範囲における独立項に記載の特徴の組み合わせにより達成される。また従属項は本発明の更なる有利な具体例を規定する。
【０００７】
【課題を解決するための手段】
即ち、本発明の第１の形態によると、インバータ装置は、直列接続された第１のスイッチ手段と第２のスイッチ手段とを有する直列回路と、パルス信号を発生するパルス信号発生手段とを備え、前記直列回路に直流電圧を印加した状態で前記パルス信号に基づいて前記第１のスイッチ手段及び前記第２のスイッチ手段を交互にオンオフ駆動することにより、負荷に対して交流電圧を供給するインバータ装置であって、前記パルス信号に基づいて、前記パルス信号の前記第１のスイッチ手段をオンさせる方向の立ち上がり時には第１の速度で立ち上げ、前記パルス信号の前記第１のスイッチ手段をオフさせる方向の立ち下がり時には前記第１の速度より高速の第２の速度で立ち下げた第１の駆動信号を生成し、前記第１の駆動信号に基づいて前記第１のスイッチ手段を駆動する第１の駆動制御手段と、前記パルス信号に基づいて、前記パルス信号の前記第１のスイッチ手段をオンさせる方向の立ち上がり時には前記第１の速度と前記第２の速度の間の第３の速度で立ち下げ、前記パルス信号の前記第１のスイッチ手段をオフさせる方向の立ち下がり時には前記第１の速度と前記第２の速度の間の第４の速度で立ち上げた第２の駆動信号を生成し、前記第２の駆動信号に基づいて前記第２のスイッチ手段を駆動する第２の駆動制御手段とを備える。
【０００８】
本発明の第１の形態によるインバータ装置において、前記負荷は、前記第１のスイッチ手段及び第２のスイッチ手段の間に一端が接続され、基準電位に他端が接続されてもよい。
【０００９】
本発明の第１の形態によるインバータ装置において、前記第１の駆動制御手段は、前記パルス信号の線路上に設けられた抵抗要素と、前記抵抗要素と前記第１のスイッチ手段との間に一端が接続された容量要素とを有し、前記第２の駆動制御手段は、前記パルス信号の線路上に設けられた抵抗要素と、前記第２の駆動制御手段の抵抗要素と前記第２のスイッチ手段との間に一端が接続された容量要素とを有し、前記第１のスイッチ手段をオンさせる方向からみた電流に対する前記第１の駆動制御手段の前記抵抗要素の等価抵抗値と前記容量要素の容量との第１の積が、前記第２のスイッチ手段をオフさせる方向からみた電流に対する前記第２の駆動制御手段の前記抵抗要素の等価抵抗値と前記容量要素の容量との第２の積よりも大きくてもよい。
【００１０】
本発明の第１の形態によるインバータ装置において、前記第１のスイッチ手段をオフさせる方向からみた電流に対する前記第１の制御駆動手段の前記抵抗要素の等価抵抗値と前記容量要素の容量との第３の積が、前記第２のスイッチ手段をオンさせる方向からみた電流に対する前記第２の駆動制御手段の前記抵抗要素の等価抵抗値と前記容量要素の容量との第４の積よりも小さくてもよい。さらには、前記第２の駆動制御手段の前記第２の積及び前記第４の積が前記第１の制御駆動手段の前記第１の積と前記第３の積との間にあってもよい。
【００１１】
本発明の第１の形態によるインバータ装置において、前記第１の駆動制御手段の前記抵抗要素は、電流の流れる方向に応じてそれぞれ異なる抵抗値を有する第１の素子群と、前記第１の素子群と電気的に並列に配された、電流の流れる方向にかかわらず略同一の抵抗値を有する第２の素子群とを有し、前記第２の駆動制御手段は、電流の流れる方向にかかわらず略同一の抵抗値を有する第３の素子群とを有し、前記第１の駆動制御手段の前記第１の素子群及び前記第２の素子群の前記第１のスイッチ手段をオンさせる方向からみた電流に対する等価抵抗値が、前記第２のスイッチ手段をオフさせる方向から見た前記第２の駆動制御手段の前記第３の素子群の等価抵抗値よりも大きくてもよい。
【００１２】
本発明の第１の形態によるインバータ装置において、前記第１の駆動制御手段の前記第１の素子群及び前記第２の素子群の、前記第１のスイッチ手段をオフさせる方向からみた電流に対する等価抵抗値が、前記第２のスイッチ手段をオンさせる方向からみた前記第２の駆動制御手段の第３の素子群の等価抵抗値よりも小さくてもよい。
【００１３】
本発明の第１の形態によるインバータ装置において、前記第２の駆動手段の前記第３の素子群の前記第２のスイッチ手段をオンさせる方向からみた電流に対する等価抵抗値及びオフさせる方向からみた電流に対する等価抵抗値が、前記第１の駆動制御手段の前記第１の素子群及び第２の素子群の、前記第１のスイッチ手段をオンさせる方向からみた電流に対する等価抵抗値と、前記第１のスイッチ手段をオフさせる方向からみた電流に対する等価抵抗値との間にあってもよい。
【００１４】
本発明の第１の形態によるインバータ装置において、前記第１の駆動制御手段の前記第１の素子群は、前記パルス信号の前記線路上に設けられ、前記第１のスイッチ手段をオフさせる方向からみた電流の方向を順方向とするダイオードを含んでもよい。
【００１５】
本発明の第１の形態によるインバータ装置は、前記パルス信号発生手段と前記第１及び第２の駆動制御手段との間に、前記パルス信号に基づいて制御されるスイッチ駆動手段をさらに備えてもよい。
【００１６】
また、本発明の第１の形態によるインバータ装置において、前記第１のスイッチ手段は、メインスイッチと、前記第１の制御信号に基づいて前記メインスイッチを駆動する第１のスイッチ駆動手段とを有し、前記第２のスイッチ手段は、メインスイッチと、前記第２の制御信号に基づいて前記メインスイッチを駆動する第２のスイッチ駆動手段とを有していてもよい。
【００１７】
本発明の第１の形態によるインバータ装置は、前記第１の直列回路と並列に配され、第３のスイッチ手段と第４のスイッチ手段とを有する第２の直列回路と、前記パルス信号に基づいて、前記パルス信号の前記第１のスイッチ手段をオンさせる方向の立ち上がり時には前記第３の速度で立ち下げ、前記パルス信号の前記第１のスイッチ手段をオフさせる方向の立ち下がり時には前記第４の速度で立ち上げた第３の駆動信号を生成し、前記第２の駆動信号に基づいて前記第３のスイッチ手段を駆動する第３の駆動制御手段と、前記パルス信号に基づいて、前記パルス信号の前記第１のスイッチ手段をオンさせる方向の立ち上がり時には前記第１の速度で立ち上げ、前記パルス信号の前記第１のスイッチ手段をオフさせる方向の立ち下がり時には前記第２の速度で立ち下げた第４の駆動信号を生成し、前記第１の駆動信号に基づいて前記第４のスイッチ手段を駆動する第４の駆動制御手段とをさらに備え、前記負荷は、前記第１のスイッチ手段及び前記第２のスイッチ手段の間に一端が接続され、前記第３のスイッチ手段及び前記第４のスイッチ手段の間に他端が接続され、前記第１乃至第４の駆動制御信号に基づいて、前記第１のスイッチ手段及び前記第４のスイッチ手段の組と前記第２のスイッチ手段及び前記第３のスイッチ手段の組とが交互にオンオフ駆動されてもよい。
【００１８】
本発明の第１の形態のインバータ装置において、前記第１の駆動制御手段は、前記パルス信号の線路上に設けられた抵抗要素と、前記抵抗要素と前記第１のスイッチ手段との間に一端が接続された容量要素とを有し、前記第２の駆動制御手段は、前記パルス信号の線路上に設けられた抵抗要素と、前記第２の駆動制御手段の前記抵抗要素と前記第２のスイッチ制御手段との間に一端が接続された容量要素とを有し、前記第３の駆動制御手段は、前記パルス信号の線路上に設けられた抵抗要素と、前記第３の駆動制御手段の前記抵抗要素と前記第３のスイッチ手段との間に一端が接続された容量要素とを有し、前記第４の駆動制御手段は、前記パルス信号の線路上に設けられた抵抗要素と、前記第４の駆動制御手段の前記抵抗要素と前記第４のスイッチ手段に一端が接続された容量要素とを有し、前記第１のスイッチ手段をオンさせる方向からみた電流に対する前記第１の駆動制御手段の前記抵抗要素と等価抵抗値と前記容量要素の容量との第１の積が、前記第２のスイッチ手段をオフさせる方向からみた電流に対する前記第２の駆動制御手段の前記抵抗要素の等価抵抗値と前記容量要素の容量との第２の積よりも大きく、前記第４のスイッチ手段をオンさせる方向からみた電流に対する前記第４の駆動制御手段の前記抵抗要素の等価抵抗値と前記容量要素の容量との第３の積が、前記第３のスイッチ手段をオフさせる方向からみた電流に対する前記第３の駆動制御手段の前記抵抗要素の等価抵抗値と前記容量要素の容量との第４の積よりも大きくてもよい。
【００１９】
本発明の第１の形態のインバータ装置において、前記第１のスイッチ手段をオフさせる方向からみた電流に対する前記第１の制御駆動手段の前記抵抗要素の等価抵抗値と前記容量要素の容量との第５の積が、前記第２のスイッチ手段をオンさせる方向からみた電流に対する前記第２の駆動制御手段の前記抵抗要素の等価抵抗値と前記容量要素の容量との第６の積よりも小さく、前記第４のスイッチ手段をオフさせる方向からみた電流に対する前記第４の駆動制御手段の前記抵抗要素の等価抵抗値と前記容量要素の容量との第７の積が、前記第３のスイッチ手段をオンさせる方向からみた電流に対する前記第３の制御駆動手段の前記抵抗要素の等価抵抗値と前記容量要素の容量との第８の積よりも小さくてもよい。さらに、前記第２の駆動制御手段の前記第２の積及び前記第６の積が前記第１の制御駆動手段の前記第１の積と前記第５の積との間にあり、前記第３の駆動制御手段の前記第４の積及び前記第８の積が前記第４の制御駆動手段の前記第３の積と前記第７の積との間にあってもよい。
【００２０】
本発明の第１の形態によるインバータ装置において、前記第１の駆動制御手段の前記抵抗要素は、電流の流れる方向に応じてそれぞれ異なる抵抗値を有する第１の素子群と、前記第１の素子群と電気的に並列に配された、電流の流れる方向にかかわらず略同一の抵抗値を有する第２の素子群とを有し、前記第２の駆動制御手段は、電流の流れる方向にかかわらず略同一の抵抗値を有する第３の素子群とを有し、前記第１の駆動制御手段の前記第１の素子群及び第２の素子群の、前記第１のスイッチ手段をオンさせる方向からみた電流に対する等価抵抗値が、前記第２のスイッチ手段をオフさせる方向から見た前記第２の駆動制御手段の前記第３の素子群の等価抵抗値よりも大きく、前記第３の駆動制御手段は、電流の流れる方向にかかわらず略同一の抵抗値を有する第４の素子群とを有し、前記第４の駆動制御手段の前記抵抗要素は、電流の流れる方向に応じてそれぞれ異なる抵抗値を有する第５の素子群と、前記第５の素子群と電気的に並列に配された、電流の流れる方向にかかわらず略同一の抵抗値を有する第６の素子群とを有し、前記第４の駆動制御手段の前記第５の素子群及び第６の素子群の、前記第４のスイッチ手段をオンさせる方向からみた電流に対する等価抵抗値が、前記第３のスイッチ手段をオフさせる方向から見た前記第３の駆動制御手段の前記第４の素子群の等価抵抗値よりも大きくてもよい。
【００２１】
本発明の第１の形態によるインバータ装置において、前記第１の駆動制御手段の前記第１の素子群及び第２の素子群の、前記第１のスイッチ手段をオフさせる方向からみた電流に対する等価抵抗値が、前記第２のスイッチ手段をオンさせる方向からみた前記第２の駆動制御手段の前記第４の素子群の等価抵抗値よりも小さく、前記第４の駆動制御手段の前記第５の素子群及び第６の素子群の、前記第４のスイッチ手段をオフさせる方向からみた電流に対する等価抵抗値が、前記第３のスイッチ手段をオンさせる方向からみた前記第３の駆動制御手段の前記第４の素子群の等価抵抗値よりも小さくてもよい。
【００２２】
さらに、本発明の第１の形態によるインバータ装置において、前記第２の駆動手段の前記第３の素子群の前記第２のスイッチ手段をオンさせる方向からみた電流に対する等価抵抗値及びオフさせる方向からみた電流に対する等価抵抗値が、前記第１の駆動制御手段の前記第１の素子群及び第２の素子群の前記第１のスイッチ手段をオンさせる方向からみた電流に対する等価抵抗値と、前記第１のスイッチ手段をオフさせる方向からみた電流に対する等価抵抗値との間にあり、前記第３の駆動手段の前記第４の素子群の前記第３のスイッチ手段をオンさせる方向からみた電流に対する等価抵抗値及びオフさせる方向からみた電流に対する等価抵抗値が、前記第４の駆動制御手段の前記第５の素子群及び第６の素子群の前記第４のスイッチ手段をオンさせる方向からみた電流に対する等価抵抗値と、前記第４のスイッチ手段をオフさせる方向からみた電流に対する等価抵抗値との間にあってもよい。
【００２３】
本発明の第１の形態によるインバータ装置において、前記第１の駆動制御手段の前記第１の素子群は、前記パルス信号の前記線路上に設けられ、前記第１のスイッチ手段をオフさせる方向からみた電流の方向を順方向とするダイオードを含み、前記第４の駆動制御手段の前記第５の素子群は、前記パルス信号の前記線路上に設けられ、前記第４のスイッチ手段をオフさせる方向からみた電流の方向を順方向とするダイオードを含んでもよい。
【００２４】
本発明の第１の形態によるインバータ装置は、前記パルス信号発生手段と前記第１及び第２の駆動制御手段との間に、前記パルス信号に基づいて制御される第１のスイッチ駆動手段と、前記パルス信号発生手段と前記第３及び第４の駆動制御手段との間に、前記パルス信号に基づいて制御される第２のスイッチ駆動手段とをさらに備えてもよい。
【００２５】
また、本発明の第１の形態によるインバータ装置は、前記第１のスイッチ手段は、第１のメインスイッチと、前記第１の制御信号に基づいて前記第１のメインスイッチを駆動する第１のスイッチ駆動手段とを有し、前記第２のスイッチ手段は、第２のメインスイッチと、前記第２の制御信号に基づいて前記第２のメインスイッチを駆動する第２のスイッチ駆動手段とを有し、前記第３のスイッチ手段は、第３のメインスイッチと、前記第３の制御信号に基づいて前記第３のメインスイッチを駆動する第３のスイッチ駆動手段とを有し、前記第４のスイッチ手段は、第４のメインスイッチと、前記第４の制御信号に基づいて前記第４のメインスイッチを駆動する第４のスイッチ駆動手段とを有してもよい。
【００２６】
本発明の第１の形態によるインバータ装置において、前記負荷が放電灯であってもよい。
【００２７】
なお上記の発明の概要は、本発明の必要な特徴の全てを列挙したものではなく、これらの特徴群のサブコンビネーションも又発明となりうる。
【００２８】
【発明の実施の形態】
以下、発明の実施形態を通じて本発明を説明するが、実施形態はクレームにかかる発明を限定するものではなく、また実施形態の中で説明されている特徴の組み合わせの全てが発明の解決手段に必須であるとは限らない。
【００２９】
図１は、本発明の第１実施形態によるインバータ装置の回路図である。このインバータ装置２は、一例としてフルブリッジ構成を有する。
【００３０】
インバータ装置２は、直列接続された第１スイッチ手段１０と第２スイッチ手段２０とを有する第１直列回路と、この第１直列回路と並列に配され、第３スイッチ手段３０と第４スイッチ手段４０とを有する第２直列回路とを備える。第１スイッチ手段１０及び第２スイッチ手段２０の間に負荷４の一端が接続され、第３スイッチ手段３０及び第４スイッチ手段４０の間にこの負荷４の他端が接続される。負荷４は、例えば放電灯である。
【００３１】
さらに、インバータ装置２は、パルス信号を発生するパルス信号発生手段６と、パルス信号に基づいて駆動される第１スイッチ駆動手段２１０及び第２スイッチ駆動手段２２０と、第１スイッチ駆動手段２１０の出力に基づいて第１駆動制御信号を生成し、この第１駆動信号に基づいて第１スイッチ手段１０を駆動する第１駆動制御手段１１０と、第１スイッチ駆動手段２１０の出力に基づいて第２駆動制御信号を生成し、この第２駆動信号に基づいて第２スイッチ手段２０を駆動する第２駆動制御手段１２０とを備える。
【００３２】
また、インバータ装置２は、第２スイッチ駆動手段２２０の出力に基づいて第３駆動制御信号を生成し、この第３駆動信号に基づいて第３スイッチ手段３０を駆動する第３駆動制御手段１３０と、第２スイッチ駆動手段２２０の出力に基づいて第４駆動制御信号を生成し、この第４駆動信号に基づいて第４スイッチ手段４０を駆動する第４駆動制御手段１４０とを備える。このインバータ装置２は、第１及び第２直列回路に直流電圧ＤＣが印加された状態で、第１から第４駆動制御信号に基づいて、第１スイッチ手段１０及び第４スイッチ手段４０の組と第２スイッチ手段２０及び第３スイッチ手段３０の組とを交互にオンオフ駆動することにより、負荷４に対して交流電圧を供給する。
【００３３】
第１から第４スイッチ手段１０，２０，３０，４０の各々は、メインスイッチの一例であるｎチャンネルＦＥＴ（電界効果トランジスタ）を有する。第１スイッチ手段１０のＦＥＴ１２のドレインが直流電源のプラス側に接続される。第１スイッチ手段１０のＦＥＴ１２のソースが、第２スイッチ手段２０のＦＥＴ２２のドレインと接続される。この第２スイッチ手段２０のＦＥＴのソースは、直流電源のマイナス側に接続される。同様に、第３スイッチ手段３０のＦＥＴ３２のドレインが直流電源のプラス側に接続される。第３スイッチ手段３０のＦＥＴ３２ソースが、第４スイッチ手段４０のＦＥＴ４２のドレインと接続される。第４スイッチ手段４０のＦＥＴ４２のソースは、直流電源のマイナス側に接続される。さらに、第１スイッチ手段１０のＦＥＴ１２のドレインと、第３スイッチ手段３０のＦＥＴ３２のドレインとが接続される。さらに、第２スイッチ手段２０のＦＥＴ２２のソースと、第４スイッチ手段４０のＦＥＴ４２のソースとが接続される。
【００３４】
第１駆動制御手段１１０は、パルス信号線路上に抵抗要素１４を有する。この抵抗要素１４は、電流の流れる方向に応じてそれぞれ異なる抵抗値を有する第１素子群の一例としてダイオード１４ａを有する。このダイオード１４ａは、第１スイッチ手段をオフさせる方向からみた電流の方向を順方向とするように、ＦＥＴ１２のゲートからみた第１スイッチ駆動手段２１０の方向を順方向として接続される。さらに、抵抗要素１４は、第１素子群と電気的に並列に配された第２素子群の一例として、電流の流れる方向にかかわらず同一の抵抗値Ｒ１ＯＮを持つ抵抗１４ｂを有する。ここで、ダイオード１４ａの順方向の電流に対する等価抵抗値Ｒ１ＯＦＦは非常に小さく、理想的には限りなく０Ωに近く、抵抗１４ｂの抵抗値Ｒ１ＯＮはこのＲ１ＯＦＦよりも十分大きな抵抗値となりうる。
【００３５】
この第１実施形態において、第１スイッチ手段１０の第１メインスイッチはＦＥＴ１２であり、このＦＥＴ１２自身が容量Ｃ１０の入力容量を有する。よって、ＦＥＴ１２が有するこの入力容量が、第１駆動制御手段１１０の容量要素となる。
【００３６】
一方、第２駆動制御手段１２０は、パルス信号線路上に抵抗要素２４を有する。この抵抗要素２４は、電流の流れる方向にかかわらず同一の抵抗値を有する第３素子群の一例として、抵抗値Ｒ１２を持つ抵抗２４ａを有する。この抵抗要素２４の抵抗２４ａの抵抗値Ｒ１２と、第１駆動制御手段１１０の抵抗１４ｂの抵抗値Ｒ１ＯＮ及びダイオード１４ａの等価抵抗値Ｒ１ＯＦＦは、次式を満足する関係とされる。
Ｒ１ＯＮ＞Ｒ１２＞Ｒ１ＯＦＦ        （１）
【００３７】
本実施形態において、第２スイッチ手段２０の第２メインスイッチとしてのＦＥＴ２２は、第１スイッチ手段１０のＦＥＴ１２と同一の容量Ｃ１０の入力容量を有する。よって、ＦＥＴ２２が有するこの入力容量が、第２駆動制御手段１２０の容量要素となる。
【００３８】
図２は、図１に示すインバータ装置のタイミングチャートを表す。パルス発生手段６は、パルス信号の一例として方形波パルス信号を発生する。パルス発生手段６は、このパルス信号を第１スイッチ駆動手段２１０に入力する。
【００３９】
第１スイッチ駆動手段２１０の一端が第１スイッチ手段１０のＦＥＴ１２のソースに接続され、第１スイッチ駆動手段２１０の別の一端が第１駆動手段１１０の入力と接続される。パルス発生手段６からのパルス信号に基づいて、第１スイッチ駆動手段２１０はＦＥＴ１２のゲートと第１駆動制御手段１１０の入力側との間に電圧を印加または同電位にする第１出力信号を出力する。
【００４０】
第１スイッチ駆動手段２１０が出力する第１出力信号の立ち上がりは、第１スイッチ手段１０のＦＥＴ１２がオンされる方向に対応する。第１スイッチ手段１０のＦＥＴ１２をオンさせる方向からみた電流は、第１スイッチ駆動手段２１０から第１スイッチ手段１０へ向かう方向に流れる。この電流の向きは、第１駆動制御手段１１０のダイオードの逆方向となる。したがって第１出力信号の立ち上がり時には、電流が抵抗要素１４の抵抗１４ｂを流れる。この電流に対する抵抗要素１４の等価抵抗値は、抵抗１４ｂの抵抗値Ｒ１ＯＮとなる。この抵抗１４ｂとＦＥＴ１２の入力容量とが積分回路として働く。よって、第１出力信号の立ち上がり時には、第１駆動制御手段１１０は、第１駆動信号を第１速度Ｖ１で立ち上げる。この第１速度Ｖ１は、抵抗１４ｂの抵抗値Ｒ１ＯＮとＦＥＴ１２の入力容量Ｃ１０との積（時定数）Ｒ１ＯＮＣ１０の逆数に比例する。この積Ｒ１ＯＮＣ１０は、フルブリッジ構成を有する本発明のインバータ装置における第１の積の一例である。
【００４１】
第１速度Ｖ１で立ち上がるこの第１駆動信号が閾値を超えたときに、第１スイッチ手段１０がオフからオンに切り替わる。スイッチ手段がオンオフ間を切り替える閾値の一例は、駆動信号の高低の中点である。図２に示すように、第１スイッチ手段１０のオンへの切り替え時間は、第１駆動制御信号の立ち上がりの速度Ｖ１に応じて遅れる。なお、図２において、スイッチ手段がオン状態であることを高い線として、オフ状態であることを低い線として表現している。
【００４２】
逆に第１スイッチ駆動手段２１０が出力する第１出力信号の立ち下がりは、第１スイッチ手段１０のＦＥＴ１２をオフさせる方向に対応する。第１スイッチ手段１０をオフさせる方向の電流は、第１スイッチ手段１０から第１スイッチ駆動手段２１０へ向かう方向に流れる。この電流の方向は、第１駆動制御手段１１０のダイオード１４ａの順方向となる。抵抗１４ｂの抵抗値Ｒ１ＯＮは、ダイオード１４ａの順方向における抵抗値Ｒ１ＯＦＦよりも大きく設定されている。第１出力信号の立ち下がり時には、この電流はそのほとんどがダイオード１４ａを通ると考えることができる。この電流に対する抵抗要素１４の等価抵抗値は、ほぼダイオード１４ａの順方向の抵抗値Ｒ１ＯＦＦとなる。よって、第１駆動制御手段１１０は、第１出力信号の立ち下がり時には、第１駆動信号を第２速度Ｖ２で立ち下げる。この第２速度Ｖ２は、ダイオード１４ａの順方向の抵抗値Ｒ１ＯＦＦとＦＥＴ１２の入力容量Ｃ１０との積Ｒ１ＯＦＦＣ１０の逆数に比例する。この積Ｒ１ＯＦＦＣ１０は、フルブリッジ構成を有する本発明のインバータ装置における第５の積の一例である。その立ち下がりの速度Ｖ２に応じて、第１スイッチ手段１０のオフへの切り替え時間が遅れる。
【００４３】
一方、第１スイッチ駆動手段２１０のさらに別の一端が第２スイッチ手段２０のＦＥＴ２２のソースに接続され、第１スイッチ駆動手段２１０のさらに別の一端が第２駆動手段１２０の入力と接続される。パルス発生手段６からのパルス信号に基づいて、第１スイッチ駆動手段２１０はＦＥＴ２２のゲートと第２駆動制御手段１２０の入力側との間に電圧を印加または同電位にする第２出力信号を出力する。この第２出力信号は、第１出力信号と相反の関係とされる。
【００４４】
第１スイッチ駆動手段２１０からの第２出力信号の立ち下がりは、第２スイッチ手段２０をオフさせる方向に対応する。第２スイッチ手段２０をオフさせる方向からみた電流は、第２スイッチ手段２０から第１スイッチ駆動手段２１０へ向かう方向に流れる。この電流は抵抗２４ａに流れる。したがって、第２出力信号の立ち下がり時には、第２駆動制御手段１２０は図２に示すように、第２駆動信号を第３速度Ｖ３で立ち下げる。この第３速度Ｖ３は、抵抗２４ａの抵抗値Ｒ１２とＦＥＴ２２の入力容量Ｃ１０との積Ｒ１２Ｃ１０の逆数に比例する。この積Ｒ１２Ｃ１０は、フルブリッジ構成を有する本発明のインバータ装置における第２の積の一例である。その立ち下がりの速度Ｖ３に応じて、第２スイッチ手段２０のオフへの切り替え時間が遅れる。
【００４５】
逆に第１スイッチ駆動手段２１０からの第２出力信号の立ち上がりは、第２スイッチ手段２０をオンさせる方向に対応する。第２スイッチ手段２０をオンさせる方向からみた電流は、第２スイッチ駆動手段２２０から第２スイッチ手段２０へ向かう方向に流れる。この電流も抵抗２４ａを流れる。したがって、第２出力信号の立ち下がり時には、第２駆動制御手段１２０は第２駆動信号を第４速度Ｖ４で立ち上げる。この第４速度Ｖ４は、上述の第３速度Ｖ３と同一で、Ｒ１２Ｃ１０の逆数となる。この積Ｒ１ＯＮＣ１０は、フルブリッジ構成を有する本発明のインバータ装置における第６の積の一例である。その立ち下がりの速度Ｖ４に応じて、第２スイッチ手段２０のオンへの切り替え時間が遅れる。
【００４６】
第２駆動制御手段１２０の抵抗要素２４と第１駆動制御手段の抵抗要素１４との間には式（１）の関係があるので、次の関係が成立する。
Ｒ１ＯＮＣ１０＞Ｒ１２Ｃ１０＞Ｒ１ＯＦＦＣ１０        （２）
【００４７】
すなわち、第２駆動信号の第３及び第４速度Ｖ３、Ｖ４は、第１駆動信号の第１速度Ｖ１より高速で、第２速度Ｖ２より低速である。第１速度Ｖ１は第３速度Ｖ３より低速なので、第１スイッチ手段１０のオンへの切り替えは、第２スイッチ手段２０のオフへの切り替えよりもさらに遅い。したがって、第１スイッチ手段１０と第２スイッチ手段２０とが同時にオフとなる期間が生じる。一方、第４速度Ｖ４は第２速度Ｖ２より低速なので、第２スイッチ手段２０のオンへの切り替えは、第１スイッチ手段１０のオフへの切り替えよりもさらに遅い。したがって、第１スイッチ手段１０と第２スイッチ手段２０とが同時にオフとなる期間が生じる。第１実施形態によるインバータ装置２は、これら第１スイッチ手段１０と第２スイッチ手段２０いずれのオンオフ駆動の場合でも、第１及び第２スイッチ手段１０，２０との同時オンを避けることができる。
【００４８】
第２スイッチ駆動手段２２０は、第１スイッチ駆動手段２１０と同様の構成を有する。第１スイッチ手段１０と第４スイッチ手段４０との組と、第２スイッチ手段２０と第３スイッチ手段３０との組とを交互にオンオフ駆動させるために、第２スイッチ駆動手段２２０は、第２出力信号と同じ信号を第３信号として第３駆動制御手段１３０に出力し、第１出力信号と同じ信号を第４信号として第４駆動制御手段１４０に出力する。
【００４９】
第３駆動制御手段１３０は、パルス信号線路上に抵抗要素２４を有する。この抵抗要素２４は、電流の流れる方向にかかわらず同一の抵抗値を有する第４素子群の一例として、抵抗値Ｒ１２を持つ抵抗２４ａを有する。第３駆動制御手段１３０は、第２駆動制御手段１２０と同様の構成を有する。よって、第３駆動制御手段１３０は、パルス信号の第１スイッチ手段１０をオンさせる方向の立ち上がり時には、第３駆動信号を上述の第３速度Ｖ３で立ち下げる。さらに第３駆動制御手段１３０は、パルス信号の第１スイッチ手段をオフさせる方向の立ち下がり時には、第３駆動信号を上述の第４速度Ｖ４で立ち上げる。この第３速度Ｖ３及び第４速度Ｖ４は上述のように、抵抗要素２４の抵抗値Ｒ１２と第３スイッチ手段の入力容量Ｃ１０との積の逆数に比例する。この積は、フルブリッジ構成を有する本発明のインバータ装置における第４の積及び第８の積の一例である。
【００５０】
また、第４駆動制御手段１４０はパルス信号線路上に抵抗要素１４を有する。この抵抗要素１４は、電流の流れる方向に応じてそれぞれ異なる抵抗値を有する第５素子群の一例としてダイオード１４ａを有する。このダイオード１４ａは、第４スイッチ手段をオフさせる方向からみた電流の方向を順方向とするように、ＦＥＴ４２のゲートからみた第２スイッチ駆動手段２２０の方向を順方向として接続される。さらに、抵抗要素１４は、第５素子群と電気的に並列に配された第６素子群の一例として、電流の流れる方向にかかわらず同一の抵抗値Ｒ１ＯＮを持つ抵抗１４ｂを有する。ここで、抵抗１４ｂの抵抗値Ｒ１ＯＮは、ダイオード１４ａの順方向の電流に対する抵抗値Ｒ１ＯＦＦよりも大きく設定される。この第４駆動制御手段１４０は、第１駆動制御手段１１０と同様の構成を有する。
【００５１】
よって、第４駆動制御手段１４０は、パルス信号の第４スイッチ手段１０をオンさせる方向の立ち上がり時には、第４駆動信号を上述の第１速度Ｖ１で立ち上げる。この第１速度Ｖ１は上述のように、抵抗１４ｂの抵抗値Ｒ１ＯＮと第４スイッチ手段の入力容量Ｃ１０との積の逆数に比例する。この積は、フルブリッジ構成を有する本発明のインバータ装置における第３の積の一例である。さらに第４駆動制御手段１４０は、第４スイッチ手段１０をオフさせる方向の立ち下がり時には、第４駆動信号を上述の第２速度Ｖ２で立ち下げる。この第２速度Ｖ２は上述のように、ダイオード１４ａの順方向の抵抗値Ｒ１ＯＦＦと第４スイッチ手段の入力容量Ｃ１０との積の逆数に比例する。この積は、フルブリッジ構成を有する本発明のインバータ装置における第７の積の一例である。
【００５２】
第１から第４駆動信号における第１から第４速度には、式（２）の大小関係がある。よって、これら第１から第４駆動制御手段１１０，１２０，１３０，１４０は、パルス信号に基づいて、第１及び第４スイッチ手段１０，４０をオンからオフに切り替える時には、第２及び第３スイッチ手段２０，３０をより遅くオフからオンに切り替える。さらに、第１から第４駆動制御手段１１０，１２０，１３０，１４０は、第２及び第３スイッチ手段２０，３０をオンからオフに切り替える時には、第１及び第４スイッチ手段１０，４０をより遅くオフからオンに切り替える。したがって、いずれのスイッチ手段切り替え駆動にあっても、同時オンを避けることができる。
【００５３】
図３は、本発明の第２実施形態にかかるインバータ装置１０２の回路図である。インバータ装置１０２は、第１から第４駆動制御手段１１１，１２１，１３１，１４１が、第１実施形態と異なる。図３において第１実施形態のインバータ装置２と同様の構成および要素については、図１と同じ参照番号を用いており、これらの詳細な説明は省略する。以下の実施形態においても同様とする。
【００５４】
第１駆動制御手段１１１は、パルス信号線路上に抵抗要素１５を有する。この抵抗要素１５は、第１素子群の一例として、ダイオード１５ａと、このダイオード１５ａと直列に配された抵抗１５ｂとを有する。このダイオード１５ａは、第１スイッチ手段１０をオフさせる方向からみた電流の方向を順方向とするように接続される。ダイオード１５ａはＦＥＴ１２のゲートからみた第１スイッチ駆動手段２１０の方向を順方向とする。ダイオード１５ａと直列に配された抵抗１５ｂは、ダイオード１５ａの順方向の抵抗値よりも大きい抵抗値Ｒ２ＯＦＦを有するように設定される。さらに、抵抗要素１５は、第１素子群と電気的に並列に配された第２素子群の一例として抵抗値Ｒ２ＯＮを持つ抵抗１５ｃを有する。
【００５５】
一方、第２駆動制御手段１２１は、パルス信号線路上に抵抗要素２５を有する。この抵抗要素２５は、第３素子群の一例として抵抗値Ｒ２２を持つ抵抗２５ａを有する。この抵抗要素２５の抵抗値Ｒ２２と、第１駆動制御手段１１１の等価抵抗値Ｒ２ＯＮ及びＲ２ＯＦＦとは、次式を満足するよう設定される。
Ｒ２ＯＮ＞Ｒ２２＞Ｒ２Ｔ        （３）
ここで、抵抗値Ｒ２Ｔは、（１／Ｒ２ＯＮ＋１／Ｒ２ＯＦＦ）−１である。
【００５６】
パルス信号の第１スイッチ手段１０をオンさせる方向の立ち上がり時には、第１駆動制御手段１１１は、第１駆動信号を第１速度で立ち上げる。この第１速度は、抵抗要素１５の抵抗１５ｃの抵抗値Ｒ２ＯＮとＦＥＴ１２の入力容量Ｃ１０との積Ｒ２ＯＮＣ１０の逆数に比例する。
【００５７】
逆に、第１スイッチ手段１０をオフさせる方向の電流は、第１スイッチ手段１０から第１スイッチ駆動手段２１０へ向かう方向に流れる。この電流に対する抵抗要素１５の等価抵抗値Ｒ２Ｔは上述の（１／Ｒ２ＯＮ＋１／Ｒ２ＯＦＦ）−１となる。ダイオード１５ａの順方向の抵抗値は抵抗要素１５の各抵抗１５ｂ，１５ｃの抵抗値Ｒ２ＯＮ，Ｒ２ＯＦＦよりも小さく設定されているので、ここでは考えなくてよい。したがって、パルス信号の第１スイッチ手段１０をオフさせる方向の立ち下がり時には、第１駆動制御手段１１１は、第１駆動信号を第２速度で立ち下げる。この第２速度は、抵抗要素１５の等価抵抗値Ｒ２ＴとＦＥＴ１２の入力容量Ｃ１０との積Ｒ２ＴＣ１０の逆数となる。
【００５８】
第１実施形態と同様に、パルス信号の第１スイッチ手段１０をオンさせる方向の立ち上がり時には、第２駆動制御手段１２１は、第２駆動信号を第３速度で立ち下げる。この第３速度は、抵抗２５ａの抵抗値Ｒ２２とＦＥＴ２２の入力容量Ｃ１０との積Ｒ２２Ｃ１０の逆数に比例する。また、パルス信号の第１スイッチ手段１０をオフさせる方向の立ち下がり時には、第２駆動制御手段１２１は、第２駆動信号を第４速度で立ち上げる。この第４速度は、上述の第３速度と同一となる。
【００５９】
第２駆動制御手段１２１の抵抗要素２５と第１駆動制御手段の抵抗要素１５との間には上式（３）の関係があるので、次の関係が成立する。
Ｒ２ＯＮＣ１０＞Ｒ２２Ｃ１０＞Ｒ２ＴＣ１０        （４）
【００６０】
すなわち、第２駆動信号の第３及び第４速度は、第１駆動信号の第１速度より高速で、第２速度より低速である。
【００６１】
第３駆動制御手段１３１は第２駆動制御手段１２１と同様の構成を有する。よって、第３駆動制御手段１３１は、第２駆動制御手段１２１の第２駆動制御信号と同様の第３駆動制御信号を生成する。また、第４駆動制御手段１４１は第１駆動制御手段１１１と同様の構成を有する。よって、第４駆動制御手段１４１は、第１駆動制御手段１１１の第１駆動制御信号と同様の第４駆動制御信号を生成する。
【００６２】
インバータ装置１０２の第１から第４駆動信号における、第１から第４速度の大小関係は、第１実施形態と同様である。したがって、いずれのスイッチ手段のオンオフ駆動にあっても、スイッチ手段の同時オンを避けることができる。
【００６３】
図４は、本発明の第３実施形態によるインバータ装置２０２の回路図である。インバータ装置２０２は、第１から第４駆動制御手段１１２、１２２，１３２，１４２が第１実施形態と異なっている。
【００６４】
第１駆動制御手段１１２は、パルス信号線路上に抵抗要素１６を有する。抵抗要素１６は、ダイオード１６ａと、このダイオード１６ａと電気的に並列に配された第１抵抗１６ｂと、これら並列に配されたダイオード１６ａと第１抵抗１６ｂに対して直列的に配される第２抵抗１６ｃとを有する。このダイオード１６ａは、第１スイッチ手段をオフさせる方向からみた電流の方向を順方向とするように接続される。ダイオードは、ＦＥＴ１２のゲートからみた第１スイッチ駆動手段２１０の方向を順方向とされる。さらに、第１抵抗１６ｂは、電流の流れる方向にかかわらず同一の抵抗値Ｒ３ＯＮを有する。第２抵抗１６ｃは、電流の流れる方向にかかわらず同一の抵抗値Ｒ３ＯＦＦを有する。いずれの抵抗値Ｒ３ＯＮ、Ｒ３ＯＦＦも、ダイオード１６ａの順方向の抵抗値よりも大きく設定される。
【００６５】
この第１スイッチ手段１０をオンさせる方向からみた電流は、第１駆動制御手段１１２のダイオード１６ａの逆方向に流れる。この電流に対する抵抗要素１６の等価抵抗値Ｒ３Ｔは、（Ｒ３ＯＮ＋Ｒ３ＯＦＦ）である。したがって、パルス信号の第１スイッチ手段１０をオンさせる方向の立ち上がり時には、第１駆動制御手段１１２は、第１駆動信号を第１速度で立ち上げる。この第１速度は、抵抗要素１６の第１抵抗１６ｂと第２抵抗１６ｃの直列による等価抵抗値Ｒ３ＴとＦＥＴ１２の入力容量Ｃ１０との積Ｒ３ＴＣ１０の逆数に比例する。
【００６６】
逆に、第１スイッチ手段１０をオフさせる方向からみた電流は、第１スイッチ手段１０から第１スイッチ駆動手段２１０へ向かう方向に流れる。この電流の流れる方向は、第１駆動制御手段１１２のダイオード１６ａの順方向となる。ダイオード１６ａの順方向の抵抗値は、抵抗要素１６の第１抵抗１６ｂの抵抗値Ｒ３ＯＮよりも小さく設定されているので、第１抵抗１６ｂにはほとんどこの電流は流れないと考えてよい。したがってこの電流に対する抵抗要素１６の等価抵抗値は、ほぼＲ３ＯＦＦとなる。よって、パルス信号の第１スイッチ手段１０をオフさせる方向の立ち下がり時には、第１駆動制御手段１１２は、第１駆動信号を第２速度で立ち下げる。この第２速度は、抵抗要素１６の等価抵抗値Ｒ３ＯＦＦとＦＥＴ１２の入力容量Ｃ１０との積Ｒ３ＯＦＦＣ１０の逆数に比例する。
【００６７】
一方、第２駆動制御手段１２２は、パルス信号線路上に抵抗要素２６を有する。この抵抗要素２６は、第３素子群の一例として抵抗値Ｒ３２を持つ抵抗２６ａを有する。この抵抗２６ａの抵抗値Ｒ３２と、第１駆動制御手段１１２の抵抗１６ｂ、１６ｃの抵抗値Ｒ３ＯＮ及びＲ３ＯＦＦとは、次式を満足するように設定される。
Ｒ３Ｔ＞Ｒ３２＞Ｒ３ＯＦＦ        （５）
ここで、抵抗値Ｒ３Ｔは上述のように（Ｒ３ＯＮ＋Ｒ３ＯＦＦ）である。
【００６８】
第１実施形態と同様に、パルス信号の第１スイッチ手段１０をオンさせる方向の立ち上がり時には、第２駆動制御手段１２２は、第２駆動信号を第３速度で立ち下げる。この第３速度は、抵抗２６ａの抵抗値Ｒ３２とＦＥＴ２２の入力容量Ｃ１０との積Ｒ３２Ｃ１０の逆数に比例する。また、パルス信号の第１スイッチ手段１０をオフさせる方向の立ち下がり時には、第２駆動制御手段１２２は、第２駆動信号を第４速度で立ち上げる。この第４速度は、上述の第３速度と同一となる。
【００６９】
第２駆動制御手段１２２の抵抗要素２６と第１駆動制御手段の抵抗要素１６との間には上式（５）の関係があるので、次の関係が成立する。
Ｒ３ＴＣ１０＞Ｒ３２Ｃ１０＞Ｒ３ＯＦＦＣ１０        （６）
【００７０】
すなわち、第２駆動信号の第３及び第４速度は、第１駆動信号の第１速度より高速で、第２速度より低速である。
【００７１】
第３駆動制御手段１３２は第２駆動制御手段１２２と同様の構成を有する。また、第４駆動制御手段１４２は第１駆動制御手段１１２と同様の構成を有する。
【００７２】
インバータ装置２０２の第１から第４駆動信号における、第１から第４速度の大小関係は、第１実施形態と同様である。したがって、いずれのスイッチ手段のオンオフ駆動にあっても、スイッチ手段の同時オンを避けることができる。
【００７３】
図５は、本発明の第４実施形態にかかるインバータ装置３０２の回路図である。第４実施形態にかかるインバータ装置３０２は、上記第３実施形態にかかるインバータ装置２０２とは、第１駆動制御手段１１３及び第３駆動制御手段１３３における抵抗要素の第２抵抗の位置が異なっている。
【００７４】
第４実施形態における第１駆動制御手段１１３は、パルス信号線路上に抵抗要素１７を有する。抵抗要素１７は、ダイオード１７ａと、このダイオード１７ａと電気的に並列に配された第１抵抗１７ｂとを有する。このダイオード１７ａは、第１スイッチ手段をオフさせる方向からみた電流の方向を順方向とするように接続される。第１抵抗１７ｂは、抵抗値Ｒ４ＯＮを有する。
【００７５】
第１駆動制御手段１１３の抵抗要素１７は、さらに、第２抵抗１７ｃを有する。第２抵抗１７ｃは、第１スイッチ手段１０のＦＥＴ１２のソースに一端が接続され、第１スイッチ駆動手段２１０に他端が接続される。第２抵抗は、抵抗値Ｒ４ＯＦＦを有する。第１及び第２抵抗１７ｂ、１７ｃの抵抗値Ｒ４ＯＮ、Ｒ４ＯＦＦは、いずれもダイオード１７ａの順方向の抵抗値よりも大きく設定される。
【００７６】
一方、第２駆動制御手段１２３は、第３実施形態における第２駆動制御手段１２２と同様に、パルス信号線路上に抵抗要素２７を有する。この抵抗要素２７は、抵抗値Ｒ４２をもつ抵抗２７ａを有する。この抵抗２７ａの抵抗値Ｒ４２と、第１駆動制御手段１１３の第１及び第２抵抗１７ｂ、１７ｃの抵抗値Ｒ４ＯＮ及びＲ４ＯＦＦとは、次式を満足するように設定される。
Ｒ４Ｔ＞Ｒ４２＞Ｒ４ＯＦＦ        （７）
ここで、抵抗値Ｒ４Ｔは（Ｒ４ＯＮ＋Ｒ４ＯＦＦ）である。
【００７７】
第１スイッチ手段１０をオンさせる方向からみた電流は、第１スイッチ駆動手段２１０から第１スイッチ手段１０のＦＥＴ１２の入力容量を介して、第２抵抗１７ｃ方向へ流れる。この電流の方向は、第１駆動制御手段１１３のダイオードの逆方向となる。したがって、電流は第１抵抗１７ａと第２抵抗１７ｂを流れる。この電流に対する抵抗要素１７の等価抵抗値Ｒ４Ｔは上述のように（Ｒ４ＯＮ＋Ｒ４ＯＦＦ）である。
【００７８】
逆に、第１スイッチ手段１０をオフさせる方向からみた電流は、第１スイッチ手段１０のＦＥＴ１２の入力容量を介して第１スイッチ駆動手段２１０へ向かう方向に流れる。すなわち、第１駆動制御手段１１３のダイオードの順方向となる。この電流は、抵抗要素１７の第１抵抗１７ｂとダイオード１７ａの両方を流れ、かつ第２抵抗１７ｃを流れる。しかし、ダイオード１７ａの順方向の抵抗値は、第１抵抗１７ｂの抵抗値Ｒ４ＯＮよりも小さく設定されているので、第１抵抗にはほとんどこの電流は流れないと考えてよい。したがってこの電流に対する等価抵抗値は、ほぼＲ４ＯＦＦとなる。
【００７９】
第２駆動制御手段１２３の抵抗要素２７と第１駆動制御手段１１３の抵抗要素１７との間には上式（７）の関係があるので、次の関係が成立する。
Ｒ４ＴＣ１０＞Ｒ４２Ｃ１０＞Ｒ４ＯＦＦＣ１０        （８）
【００８０】
式（８）は、第３実施形態における（６）式に対応する。よって、第４実施形態においても第３実施形態と同様に、第２駆動信号の第３及び第４速度は、第１駆動信号の第１速度より高速で、第２速度より低速である。
【００８１】
第３駆動制御手段１３３は第２駆動制御手段１２３と同様の構成を有する。また、第４駆動制御手段１４３は第１駆動制御手段１１３と同様の構成を有する。
【００８２】
インバータ装置３０２の第１から第４駆動信号における、第１から第４速度の大小関係は、第３実施形態と同様である。したがって、いずれのスイッチ手段のオンオフ駆動にあっても、スイッチ手段の同時オンを避けることができる。
【００８３】
図６は、本発明の第５実施形態によるインバータ装置４０２の回路図である。上述の第１から第４実施形態のインバータ装置は、いずれも４個のスイッチ手段を有するフルブリッジ構成を有していたが、この第５実施形態のインバータ装置４０２はハーフブリッジ構成を有する。
【００８４】
第５実施形態によるインバータ装置２は、パルス信号発生手段６と、第１スイッチ駆動手段２１０と、第１及び第２駆動制御手段１１０，１２０と、第１及び第２スイッチ手段１０，２０とを有する。第１スイッチ手段１０と第２メインスイッチ２０とが、直列接続される。この直列回路５０の一端が直流電源のプラス側に接続され、他端が直流電源のマイナス側に接続される。負荷４の一端は、第１スイッチ手段１０と第２スイッチ手段２０との間に接続される。負荷４の他端は、基準電位Ｖｒｅｆに接続される。この基準電位Ｖｒｅｆは、例えば直流電源のプラス側がグランド電位０Ｖ以上の正電位で、直流電源のマイナス側がグランド電位０Ｖの場合、直列回路に印加される直流電圧ＤＣの中点の電圧とされる。また、例えば特開２００１−６８９１に記載される放電灯点灯回路の場合は、直列回路に印加される直流電圧ＤＣについて、直流電源のプラス側がグランド電位０Ｖ以上の正電位で、直流電源のマイナス側がグランド電位０Ｖ以下の負電位である。この場合には、基準電位Ｖｒｅｆは、例えばグランド電位０Ｖに接続される。
【００８５】
この第５実施形態において、第１スイッチ手段１０に接続される第１駆動制御手段１１０は、第１実施形態における第１駆動制御手段１１０と同じ構成である。同様に、第２スイッチ手段２０に接続される第２駆動制御手段１２０は、第１実施形態における第１駆動制御手段１２０と同じ構成である。したがって、第１駆動制御手段１１０は、第１実施形態において図２に示した第１スイッチ手段１０を駆動するための第１駆動制御信号を生成する。この第１駆動信号が立ち上がる第１速度Ｖ１は、抵抗１４ｂの抵抗値と第１スイッチ手段１０の入力容量との積の逆数に比例する。この積は、ハーフブリッジ構成を有する本発明のインバータ装置における第１の積の一例である。第１駆動信号が立ち下がる第２速度Ｖ２は、ダイオード１４ａの順方向の抵抗値と第１スイッチ手段１０の入力容量との積の逆数に比例する。この積は、ハーフブリッジ構成を有する本発明のインバータ装置における第３の積の一例である。
【００８６】
同様に、第２駆動制御手段１２０は、第１実施形態において図２に示した第２スイッチ手段２０を駆動するための第２駆動制御信号を生成する。この第２駆動制御信号の第３速度Ｖ３及び第４速度Ｖ４は、抵抗要素２４の抵抗値と第２スイッチ手段２０の入力容量との積の逆数に比例する。この積は、ハーフブリッジ構成を有する本発明のインバータ装置における第２の積及び第４の積の一例である。
【００８７】
この第５実施形態においても、第１及び第２駆動制御信号の第１から第４速度の大小関係は第１実施形態と同様である。したがって、いずれのスイッチ手段のオンオフ駆動にあっても、スイッチ手段の同時オンを避けることができる。
【００８８】
図７は、本発明の第６実施形態にかかるインバータ装置３の回路図である。上述の第１から第５の実施形態にかかるインバータ装置は、いずれも駆動制御手段がスイッチ手段とスイッチ駆動制御手段との間に設けられていた。この第６実施形態によるインバータ装置３は、スイッチ手段がメインスイッチとスイッチ駆動手段とを有し、駆動制御手段がパルス信号発生手段とスイッチ手段のスイッチ駆動制御手段との間に設けられる。
【００８９】
第１から第４スイッチ手段１１，２１，３１，４１の各々は、メインスイッチとスイッチ駆動手段とを有する。第１から第４スイッチ手段１１，２１，３１，４１の第１から第４メインスイッチ１２，２２，３２，４２及び負荷４の接続は、第１実施形態と同様である。
【００９０】
第１スイッチ手段１１の第１スイッチ駆動手段２１１は、第１メインスイッチ１２の入力部に接続される。第１駆動制御手段１１４は、第１スイッチ駆動手段２１１の入力側に設けられる。第１駆動制御手段１１４は、第１スイッチ手段１１をオンオフ駆動するための第１駆動信号を生成する。第１駆動制御手段１１４は、この第１駆動信号を第１スイッチ駆動手段２１１に入力する。
【００９１】
同様に、第２スイッチ手段２１の第２スイッチ駆動手段２２１は、第２メインスイッチ２２の入力部に接続される。第２駆動制御手段１２４が、第２スイッチ駆動手段２２１の入力側に設けられる。第２駆動制御手段１２４は、第２スイッチ手段２１をオンオフ駆動するための第２駆動信号を生成する。第２駆動制御手段１２４は、この第２駆動信号を第２スイッチ駆動手段２２１に入力する。
【００９２】
第１駆動制御手段１１４は、パルス信号線路上に抵抗要素３１４を有する。この抵抗要素３１４は、第１素子群の一例としてダイオード３１４ａを有する。このダイオード３１４ａは、第１スイッチ手段１０をオフさせる方向からみた電流の方向を順方向とするように接続される。図７に示すように、ダイオード３１４ａは第１スイッチ駆動手段２１１からみたパルス信号発生手段６の方向を順方向とする。さらに、抵抗要素３１４は、第１素子群と電気的に並列に配された第２素子群の一例として、抵抗値Ｒ６ＯＮを持つ抵抗３１４ｂを有する。
【００９３】
第１駆動制御手段１１４は、さらに、容量要素５４を有する。この容量要素５４は、容量Ｃ６１を有する。容量要素５４の一端は、抵抗要素３１４と第１スイッチ駆動手段２１１との間に接続される。容量要素５４の他端は、基準電位Ｖｇに接続される。この基準電位は、例えばグランド電位である。
【００９４】
一方、第２駆動制御手段１２４は、パルス信号線路上に抵抗要素３２４を有する。この抵抗要素３２４は、第３素子群の一例として抵抗値Ｒ６２の抵抗３２４ｂを有する。第２駆動制御手段１２４は、さらに、容量要素６４を有する。この容量要素６４は、容量Ｃ６２を有する。容量要素６４の一端は、抵抗要素３２４と第２スイッチ駆動手段２２１との間に接続される。容量要素６４の他端は、基準電位Ｖｇに接続される。この基準電位は、例えばグランド電位である。
【００９５】
ここで、第１駆動制御手段１１４の抵抗要素３１４の抵抗値Ｒ６ＯＮ、Ｒ６ＯＦＦ及び容量要素５４の容量Ｃ６１並びに第２駆動制御手段１２４の抵抗要素３２４の抵抗値Ｒ６２及び容量要素６４の容量Ｃ６２は、次の関係を満足するように設定される。
Ｒ６ＯＮＣ６１＞Ｒ６２Ｃ６２＞Ｒ６ＯＦＦＣ６１            （９）
【００９６】
この第６実施形態は、第１実施形態におけるＦＥＴの入力容量を、駆動制御手段における別個の容量要素に置き換えたものに相当する。ここで、第６実施形態の式（９）は第１実施形態の式（２）と対応する。よって、第２駆動信号の第３及び第４速度は、第１駆動信号の第１速度より高速で、第２速度より低速である。
【００９７】
第３駆動制御手段１３４は第２駆動制御手段１２４と同様の構成を有する。よって、第３駆動制御手段１３４は、第２駆動制御手段１２４の第２駆動制御信号と同様の第３駆動制御信号を生成する。また、第４駆動制御手段１４４は第１駆動制御手段１１４と同様の構成を有する。よって、第４駆動制御手段１４４は、第１駆動制御手段１１４の第１駆動制御信号と同様の第４駆動制御信号を生成する。
【００９８】
インバータ装置３の第１から第４駆動信号における、第１から第４速度大小関係は、第１実施形態と同様である。したがって、いずれのスイッチ手段のオンオフ駆動にあっても、スイッチ手段の同時オンを避けることができる。
【００９９】
図８は、本発明の第７実施形態にかかるインバータ装置１０３を示す。図８に示すインバータ装置１０３は、第１から第４駆動制御手段１１５，１２５，１３５，１４５が、第６実施形態と異なる。
【０１００】
第１駆動制御手段１１５は、パルス信号線路上に抵抗要素３１５を有する。抵抗要素３１５は、第１素子群の一例としてのダイオード３１５ａと、このダイオード３１５ａと直列に配された抵抗値Ｒ７ＯＦＦを持つ抵抗３１５ｂと、第１素子群と電気的に並列に配された第２素子群の一例として抵抗値Ｒ７ＯＮを持つ抵抗３１５ｃとを有する。この抵抗要素３１５は、第２実施形態における第１駆動制御手段１１２の抵抗要素１５と同様の構成である。第１駆動制御手段１１５は、さらに、容量要素５５を有する。この容量要素５５は、容量Ｃ７１を有する。容量要素５５の一端は、抵抗要素３１５と第１スイッチ駆動手段２１１との間に接続される。容量要素５５の他端は、基準電位Ｖｇに接続される。この基準電位は、例えばグランド電位である。
【０１０１】
一方、第２駆動制御手段１２５は、パルス信号線路上に抵抗値Ｒ７２の抵抗３２５ａを含む抵抗要素３２５を有する。この抵抗要素３２５は、第２実施形態における第２駆動制御手段１２１の抵抗要素２５と同様の構成である。第２駆動制御手段１２５は、さらに、容量要素６５を有する。この容量要素６５は、容量Ｃ７２を有する。容量要素６５の一端は、抵抗要素３２５と第２スイッチ駆動手段２２１との間に接続される。容量要素６５の他端は、基準電位Ｖｇに接続される。この基準電位は、例えばグランド電位である。
【０１０２】
ここで、第１駆動制御手段１１５の抵抗要素３１５の抵抗値Ｒ７ＯＮ、Ｒ７ＯＦＦ及び容量要素５５の容量Ｃ７１並びに第２駆動制御手段１２５の抵抗要素３２５の抵抗値Ｒ７２及び容量要素６５の容量Ｃ７２は、次の関係を満足するように決める。
Ｒ７ＯＮＣ７１＞Ｒ７２Ｃ７２＞Ｒ７ＴＣ７１            （１０）
ここで等価抵抗値Ｒ７Ｔは第２実施形態と同様に（１／Ｒ７ＯＮ＋１／Ｒ７ＯＦＦ）−１である。
【０１０３】
第７実施形態は、第２実施形態におけるＦＥＴの入力容量を、駆動制御手段における別個の容量要素に置き換えたものに相当する。ここで、第７実施形態の式（１０）は第２実施形態の式（４）と対応する。よって、第２駆動信号の第３及び第４速度は、第１駆動信号の第１速度より高速で、第２速度より低速である。
【０１０４】
第３駆動制御手段１３５は第２駆動制御手段１２５と同様の構成を有する。また、第４駆動制御手段１４５は第１駆動制御手段１１５と同様の構成を有する。
【０１０５】
インバータ装置１０３の第１から第４駆動信号における、第１から第４速度の大小関係は、第２実施形態と同様である。したがって、いずれのスイッチ手段のオンオフ駆動にあっても、スイッチ手段の同時オンを避けることができる。
【０１０６】
図９に、本発明の第８実施形態によるインバータ装置２０３を示す。図９に示すインバータ装置２０３は、第１から第４駆動制御手段１１６，１２６，１３６，１４６が、第６実施形態と異なる。
【０１０７】
第１駆動制御手段１１６は、パルス信号線路上に抵抗要素３１６を有する。抵抗要素３１６はダイオード３１６ａと、抵抗値Ｒ８ＯＮの抵抗３１６ｂと、抵抗値Ｒ８ＯＦＦの抵抗３１６ｃを有する。この抵抗要素３１６は、第３実施形態の第１駆動手段１１２における抵抗要素１６と同様の構成である。第１駆動制御手段１１６は、さらに、容量要素５６を有する。この容量要素５６は、容量Ｃ８１を有する。容量要素５６の一端は、抵抗要素３１６と第１スイッチ駆動手段２１６との間に接続される。容量要素５６の他端は、基準電位Ｖｇに接続される。この基準電位は、例えばグランド電位である。
【０１０８】
一方、第２駆動制御手段１２６は、パルス信号線路上に抵抗値Ｒ８２の抵抗３２６ａを含む抵抗要素３２６を有する。この抵抗要素３２６は、第３実施形態における第２駆動制御手段１２２の抵抗要素２６と同様の構成である。第２駆動制御手段１２６は、さらに、容量要素６６を有する。この容量要素６６は、容量Ｃ８２を有する。容量要素６６の一端は、抵抗要素３２６と第２スイッチ駆動手段２２１との間に接続される。容量要素６６の他端は、基準電位Ｖｇに接続される。この基準電位は、例えばグランド電位である。
【０１０９】
ここで、第１駆動制御手段１１６の抵抗要素３１６の抵抗値Ｒ８ＯＮ、Ｒ８ＯＦＦ及び容量要素５６の容量Ｃ８１並びに第２駆動制御手段１２６の抵抗要素３２６の抵抗値Ｒ８２及び容量要素６６の容量Ｃ８２は、次の関係を満足するように設定する。
Ｒ８ＴＣ８１＞Ｒ８２Ｃ８２＞Ｒ８ＯＦＦＣ８１            （１１）
ここで、等価抵抗値Ｒ８Ｔは、第３実施形態と同様に（Ｒ８ＯＮ＋Ｒ８ＯＦＦ）である。
【０１１０】
第８実施形態は、第３実施形態におけるＦＥＴの入力容量を、駆動制御手段における別個の容量要素に置き換えたものに相当する。ここで、第８実施形態の式（１１）は第３実施形態の式（６）と対応する。よって、第２駆動信号の第３及び第４速度は、第１駆動信号の第１速度より高速で、第２速度より低速である。
【０１１１】
第３駆動制御手段１３６は第２駆動制御手段１２６と同様の構成を有するまた、第４駆動制御手段１４６は第１駆動制御手段１１６と同様の構成を有する。
【０１１２】
インバータ装置２０３の第１から第４駆動信号における、第１から第４速度の大小関係は、第３実施形態と同様である。したがって、いずれのスイッチ手段のオンオフ駆動にあっても、スイッチ手段の同時オンを避けることができる。
【０１１３】
図１０は、本発明の第９実施形態にかかるインバータ装置４０３の回路図である。上述の第６から第８の実施形態にかかるインバータ装置は、いずれも４個のスイッチ手段を有するフルブリッジを有していたが、この第９実施形態によるインバータ装置３０３はスイッチ手段が２個であるハーフブリッジ構成を有する。
【０１１４】
インバータ装置３０３は、パルス信号発生手段６と、第１及び第２スイッチ駆動手段２１１，２２１と、第１及び第２駆動制御手段１１４，１２４と、第１及び第２スイッチ手段１１，２１とを有する。第１スイッチ手段１１と第２メインスイッチ２１とが、直列接続される。この直列回路の一端が直流電源のプラス側に接続され、他端が直流電源のマイナス側に接続される。負荷４の一端は、第１スイッチ手段１１と第２スイッチ手段２１との間に接続される。負荷４の他端は、基準電位Ｖｒｅｆに接続される。この基準電位Ｖｒｅｆは、第５実施形態と同様である。
【０１１５】
この第９実施形態において、第１スイッチ手段１１に接続される第１駆動制御手段１１４は、第６実施形態における第１駆動制御手段１１４と同じ構成である。同様に、第２スイッチ手段２０に接続される第２駆動制御手段１２４は、第６実施形態における第１駆動制御手段１２４と同じ構成である。したがって、第１駆動制御手段１１４は、第６実施形態における第１スイッチ手段１１を駆動するための第１駆動制御信号と同じ第１駆動制御信号を生成する。同様に、第２駆動制御手段１２４は、第６実施形態において第２スイッチ手段２１を駆動するための第２駆動制御信号と同じ第２駆動制御信号を生成する。
【０１１６】
この第９実施形態においても、第１及び第２駆動制御信号の第１から第４速度の大小関係は第１実施形態と同様である。したがって、いずれのスイッチ手段のオンオフ駆動にあっても、スイッチ手段の同時オンを避けることができる。
【０１１７】
第９実施形態にかかるインバータ装置は、第１及び第２駆動制御手段として、それぞれ第６実施形態にかかる第１及び第２駆動制御手段と同様の構成とした。しかしながら、本発明はこれに限られない。ハーフブリッジにおける第１及び第２スイッチ手段に接続される第１及び第２駆動制御手段は、上述第７及び第８実施形態の第１及び第２駆動制御手段のいずれであってもよい。
【０１１８】
上述の第１から９実施形態にかかるインバータ装置よれば、より少ない部品点数でスイッチ手段の同時オンを避けることができる。
【０１１９】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【０１２０】
上述の第１から第９実施形態においては、第１スイッチ手段に第１駆動制御手段を設け、第２スイッチ手段に第２駆動制御手段を設けた。しかしながら、本発明はこれに限られない。第１スイッチ手段に対して第２駆動制御手段と同様の構成を設け、第２スイッチ手段に第１駆動制御手段と同様の構成を設けることもできる。フルブリッジ構成の場合にあっては、上記に加え、第３スイッチ手段に対して第１駆動制御手段と同様の構成を設け、第４スイッチ手段に第２駆動制御手段と同様の構成を設ける。
【０１２１】
上述の実施形態においては、スイッチ手段のメインスイッチとしてＦＥＴが用いられている。しかしながら、本発明はこれに限られない。スイッチ手段のメインスイッチの他例として、ＩＧＢＴがある。
【０１２２】
上述の第１から第９実施形態にかかるインバータ装置が使用される一例は、車両用放電灯の点灯回路ユニットである。この場合には特に、簡便な構成でスイッチ手段の同時オンを避けることができるので、点灯回路ユニットの構成を簡便にし、サイズを小さくするという要求を満たすことができる。
【０１２３】
【発明の効果】
上記説明から明らかなように、本発明によれば、インバータ装置において、より少ない部品点数の簡便な構成でスイッチ手段の同時オンを避けることができる。
【図面の簡単な説明】
【図１】本発明の第１実施形態によるインバータ装置の回路図
【図２】図１に示すインバータ装置のタイミングチャート
【図３】本発明の第２実施形態によるインバータ装置の回路図
【図４】本発明の第３実施形態によるインバータ装置の回路図
【図５】本発明の第４実施形態によるインバータ装置の回路図
【図６】本発明の第５実施形態によるインバータ装置の回路図
【図７】本発明の第６実施形態によるインバータ装置の回路図
【図８】本発明の第７実施形態によるインバータ装置の回路図
【図９】本発明の第８実施形態によるインバータ装置の回路図
【図１０】本発明の第９実施形態によるインバータ装置の回路図
【符号の説明】
２  インバータ装置
４  負荷
６  パルス信号発生手段
１０  第１スイッチ手段
２０  第２スイッチ手段
３０  第３スイッチ手段
４０  第４スイッチ手段
１１０  第１駆動制御手段
１２０  第２駆動制御手段
１３０  第３駆動制御手段
１４０  第４駆動制御手段
２１０，２１１  第１スイッチ駆動手段
２２０，２２１  第２スイッチ駆動手段
２３１  第３スイッチ駆動手段
２４１  第４スイッチ駆動手段
【図１】
0003611800.tif 000002
【図２】
0003611800.tif 000003
【図３】
0003611800.tif 000004
【図４】
0003611800.tif 000005
【図５】
0003611800.tif 000006
【図６】
0003611800.tif 000007
【図７】
0003611800.tif 000008
【図８】
0003611800.tif 000009
【図９】
0003611800.tif 000010
【図１０】
0003611800.tif 000011